(57)【特許請求の範囲】
【請求項１】
柚子の葉と果実の粉末を主成分とする灸具用の燃焼材であって、
フリーズドライ加工された柚子の葉と果実を重量比９．９：０．１から８．０：２．０の割合で配合し、
平均粒径２マイクロメートルから１０マイクロメートルの範囲内に粉砕して得られた柚子葉肉の粉末１００重量部に対し、
ナトリウム（0.02％）、カリウム(0.15％)、リチウム（0.001％未満）、マグネシウム（0.53％）の燃焼補助剤を含有するタブ粉20〜25重量部及び支那粉10〜15重量部から成るつなぎ材と、
染料重量部3〜6と、
香料重量部2〜4とを、
各々の重量比の割合で配合して棒状または突起状に形成し、
該灸具用燃焼材の内部に、上方が閉鎖された排煙空洞部を設けたことを特徴とする柚子葉肉温灸用の燃焼材。
【請求項２】
生姜の葉と根の粉末を主成分とする灸具用の燃焼材であって、
フリーズドライ加工された生姜の葉と根を重量比９．９：０．１から８．０：２．０の割合で配合し、
平均粒径２マイクロメートルから１０マイクロメートルの範囲内に粉砕して得られた生姜葉肉の粉末１００重量部に対し、
１００重量部に対し、ナトリウム（0.02％）、カリウム(0.15％)、リチウム（0.001％未満）、マグネシウム（0.53％）の燃焼補助剤を含有するタブ粉20〜25重量部及び支那粉10〜15重量部から成るつなぎ材と、
染料重量部3〜6と、
香料重量部2〜4とを、
各々の重量比の割合で配合して棒状または突起状に形成し、
該灸具用燃焼材の内部に、上方が閉鎖された排煙空洞部を設けたことを特徴とする生姜葉肉温灸用の燃焼材。
【請求項３】
前記柚子葉肉温灸用の燃焼材ならびに前記生姜葉肉温灸用の燃焼材と、台座筐体と、接着シートと、からなる台座灸であって、
前記台座筐体には中心部から鉛直方向に貫通する燃焼熱伝導孔を設け、
該燃焼熱伝導孔に対して略水平方向に直交して放射状に連通する排煙孔を設け、
該台座筐体の上面部には、前記柚子葉肉温灸用燃焼材ならびに前記生姜葉肉温灸用燃焼材を保持する保持部を形成し、
下面部には、施術面に密着させる接着シートを設けて成り、
前記柚子葉肉温灸用燃焼材ならびに前記生姜葉肉温灸用燃焼材の燃焼によって発生した燃焼煙を水平方向に排出することを特徴とする請求項１または請求項２に記載の燃焼材を用いた粉末葉肉台座灸。
【請求項４】
前記粉末葉肉台座灸において、
台座筐体に温度調節機構を設け、
該温度調節機構が、内径の小さい燃焼熱伝導孔から内径の大きい燃焼熱伝導孔に向けて厚みが大きくなるように傾斜したシャッターの傾斜面により、シャッターの摺動に連動して加熱部を上下に移動させる温度調節機構であることを特徴とする請求項３に記載の粉末葉肉台座灸。
【発明の詳細な説明】
【技術分野】
【０００１】
本発明は、柚子葉肉温灸用燃焼材ならびに生姜葉肉温灸用燃焼材の燃焼によって発生する燃焼煙から皮膚を通して浸透する薬効治療と、輻射熱による温熱治療を同時に行なう粉末葉肉の燃焼材及びこれを用いた台座灸に関する。
【背景技術】
【０００２】
本発明の燃焼材として使われる柚子は、みかん科の常緑樹で柑橘類に属し、国内では北海道以外の地域で広く栽培されており、害虫や寒さに対する耐性は柑橘類の中でも非常に優れているとされている。中国が原産地で日本には飛鳥時代前後に渡来したとも言われている。
【０００３】
また柚子の成分は、特に芳香性に優れており適度な酸味が感じ取られ、料理の引き立て役として果汁及び果皮が用いられ、その芳香成分はリモネンと呼ばれる精油成分が含まれ、自律神経に働きかけるため心身をリラックスさせるのに効果があるとされている。また、芳香成分のテルペンは、興奮した神経の鎮静作用と溜まったストレスを発散させる働きがあるともいわれているものである。  
【０００４】
上記の芳香成分ならびに精油成分は、リモネン、テンペン、ノミニン、シトラールを始めとして血液循環促進、喉頭炎症と咳の緩和、皮膚がんの抑制効果、毛細血管を刺激して血行を良くし、新陳代謝を活発にするので体が温まり、冷えに対して効果をもたらすもので免疫力を高める作用により風邪をひきにくくするとも言われている。その他、疲労回復や筋肉痛神経痛リウマチ痛などの痛みが取れることも知られている。コウシ抗腫瘍作用、鎮痛作用、抗炎症作用、殺菌作用の効果もあるとされている。また、リモネンは皮膚に膜を作って肌の水分を逃がさない保湿作用もあることからお灸と組み合わせた柚子葉温灸療法の燃焼材として使われているものである。
【０００５】
該温灸療法とは、中国から伝承される代表的な温灸療法（隔物灸または棒灸）で、艾（もぐさ）や線香を専用の器具内で焚いて（最近では電熱ヒータを用いて行なわれている）その先端部に温灸紙と柚子の葉を宛がい、艾や線香の輻射熱で灸治療するもので、一般家庭で手軽に治療できる温圧療法として広く利用されている。
【０００６】
しかしながら、上記の温灸療法で使用される柚子の葉は、形状や色が整い、虫食いやキズ，欠けがない生葉が使用されるため、取り扱いや保存に手間がかかるなど、使用上ならびに保管上の問題点があると共に、生産者においては、規格外の柚子の葉の廃棄処分に多大な手間と費用を強いられる問題がある。
【０００７】
一方、本発明の燃焼材として使われる生姜は、インド、熱帯アジア、中国雲南省が原産地と言われ、にんにく、ねぎと並んで三大薬味として料理や東洋医学の分野で広く使用されている。生姜は中国でも古くから漢方薬に処方され、生の生姜を（ショウキョウ）、乾燥したものを乾姜（カンキョウ）と呼び、咳を鎮め、痰を切り嘔吐を抑えるほか解熱や消化器系の機能亢進、腹痛、胃痛や便秘の解消などに多くの効用が知られている。
【０００８】
また辛味の主成分であるジンゲロールとショウガオールは、生姜を加熱するとジンゲロールがショウガオールに変化するもので、該ショウガオールは、血行促進の作用があるので、身体を温め冷え性を改善する効能が知られ、関節や筋肉痛の痛む箇所にショウガをすりおろした生姜の温湿布剤としてや、生姜そのものをスライスしてお灸と組み合わせた生姜灸（しょうがきゅう）として広く普及している。
【０００９】
該生姜灸とは、中国から伝承される代表的な温灸療法（隔物灸または棒灸）で、艾（もぐさ）や線香を専用の器具内で焚いて（最近では電熱ヒータを用いて行なわれている）その先端部に温灸紙と生姜の身をスライスして宛がい、艾や線香の輻射熱で灸治療するもので、一般家庭で手軽に治療できる温圧療法として枇杷の葉や柚子の葉を使用した温灸療法と共に広く利用されている。
【００１０】
一方、比較的安価な艾の下に既製の台座や筒状の空間を有する台座を置いて伝導熱を伝える台座灸が提案されている。例えば、「温灸器及び温灸器セット」（特許文献１参照）が提案され、せんねん灸（登録商標）、カマヤ灸（登録商標）、長生灸（登録商標）、つぼ灸（登録商標）など広く商品化されている。
【００１１】
他方、薬効成分ガスを中央開口の方へ流動促進するための穴を形成した「台座付き間接灸」（特許文献２参照）も提案されている。
【００１２】
しかしながら、上記の「台座付き間接灸」（特許文献２参照）は、燃焼材の輻射熱を伝導させる燃焼熱伝導孔と、燃焼材によって発生する薬効成分ガスを導く流動促進穴が、燃焼熱伝導孔と兼用されていて、薬効成分ガスが、施術面にピンポイントで触れる構造であり、その薬効範囲は流動促進穴の大きさ内に限定されてしまうものである。また、台座下面に設けられている溝は、空気の流通促進を目的に設けられているものであって、薬効成分ガスの流通路を積極的に確保していないため、薬効成分ガスの循環作用が充分に行なわれない構造であった。
【００１３】
なお、お香、線香、灸具等の技術は、現在、燃焼煙をできるだけ排出しない方向に開発されている。しかしながら、お香等においては、体にまとわりつくように穏やかに漂う煙に、リラクゼーション効果を求める女性層も多く、より完全燃焼の方向に成分調整して無煙化することばかりが良い商品といえない部分もある。即ち、意図的に煙の漂いを創出することで視覚に訴えると共に、煙から皮膚を通じて薬用成分が浸透する感覚を楽しむ癒し具も、ストレスを抱えることが多くなった近年においては求められるところである。
【００１４】
以上のように、従来の台座灸は、艾や線香などによる伝導熱や薬効成分を有する生葉などを宛がって行なう隔物灸であったりして、燃焼材の燃焼によって発生する燃焼煙を積極的に台座灸周辺の施術面に這う様に漂わせて薬効治療する温灸療法ではなかった。
【００１５】
本発明者は、以上のような温灸療法が持つ問題点に鑑み、柚子葉肉温灸用燃焼材ならびに生姜葉肉温灸用燃焼材の燃焼によって発生する燃焼煙から皮膚を通して浸透する薬効治療と、輻射熱による温熱治療を同時に行なうことができる温灸療法に着目し、本発明における柚子葉肉温灸用燃焼材ならびに生姜葉肉温灸用燃焼材及び粉末葉肉台座灸の提案に至るものである。
【先行技術文献】
【特許文献】
【００１６】
【特許文献１】実用新案登録第３０５６０７１号公報
【特許文献２】実用新案登録第３０２２６８７号公報
【特許文献３】特許４４４８５６０号公報
【特許文献４】特許４４４８５６１号公報
【発明の概要】
【発明が解決しようとする課題】
【００１７】
本発明は、柚子葉肉温灸用燃焼材ならびに生姜葉肉温灸用燃焼材の燃焼によって発生する燃焼煙から皮膚を通して浸透する薬効治療と、輻射熱による温熱治療を同時に行なう粉末葉肉台座灸の提供を図る。
【課題を解決するための手段】
【００１８】
本発明は上記目的を達成するために、  柚子の葉と果実の粉末を主成分とする灸具用の燃焼材であって、フリーズドライ加工された柚子の葉と果実を重量比９．９：０．１から８．０：２．０の割合で配合し、平均粒径２マイクロメートルから１０マイクロメートルの範囲内に粉砕して得られた柚子葉肉の粉末１００重量部に対し、ナトリウム（0.02％）、カリウム(0.15％)、リチウ（0.001％未満）、マグネシウム（0.53％）の燃焼補助剤を含有するタブ粉20〜25重量部及び支那粉10〜15重量部から成るつなぎ材と、染料重量部3〜6と、香料重量部2〜4とを、各々の重量比の割合で配合して棒状または突起状に形成し、該灸具用燃焼材の内部に、上方が閉鎖された排煙空洞部を設けた手段を採る。
【００１９】
また本発明は、生姜の葉と根の粉末を主成分とする灸具用の燃焼材であって、フリーズドライ加工された生姜の葉と根を重量比９．９：０．１から８．０：２．０の割合で配合し、平均粒径２マイクロメートルから１０マイクロメートルの範囲内に粉砕して得られた生姜葉肉の粉末１００重量部に対し、ナトリウム（0.02％）、カリウム(0.15％)、リチウム（0.001％未満）、マグネシウム（0.53％）の燃焼補助剤を含有するタブ粉20〜25重量部及び支那粉10〜15重量部から成るつなぎ材と、染料重量部3〜6と、香料重量部2〜4とを、各々の重量比の割合で配合して棒状または突起状に形成し、該灸具用燃焼材の内部に、上方が閉鎖された排煙空洞部を設けた手段を採る。
【００２０】
また本発明は、前記柚子葉肉温灸用の燃焼材ならびに前記生姜葉肉温灸用の燃焼材と、台座筐体と、接着シートと、からなる台座灸であって、前記台座筐体には中心部から鉛直方向に貫通する燃焼熱伝導孔を設け、該燃焼熱伝導孔に対して略水平方向に直交して放射状に連通する排煙孔を設け、該台座筐体の上面部には、前記柚子葉肉温灸用燃焼材ならびに前記生姜葉肉温灸用燃焼材を保持する保持部を形成し、下面部には、施術面に密着させる接着シートを設けて成り、前記柚子葉肉温灸用の燃焼材ならびに前記生姜葉肉温灸用の燃焼材の燃焼によって発生した燃焼煙を水平方向に排出する手段を採ることもできる。
【００２１】
また本発明は、台座筐体に温度調節機構を設け、該温度調節機構が、内径の小さい燃焼熱伝導孔から内径の大きい燃焼熱伝導孔に向けて厚みが大きくなるように傾斜したシャッターの傾斜面により、シャッターの摺動に連動して加熱部を上下に移動させる温度調節機構を設けた手段を採ることもできる。
【発明の効果】
【００２２】
本発明に係る柚子葉肉温灸用の燃焼材ならびに生姜葉肉温灸用の燃焼材及び粉末葉肉台座灸によれば、柚子葉肉温灸用燃焼材ならびに生姜葉肉温灸用燃焼材の燃焼によって発生する燃焼煙による薬効治療と、輻射熱による温熱治療を同時に行なうことができる優れた効果を奏する。
【００２３】
また、本発明に係る粉末葉肉台座灸によれば、燃焼材の燃焼によって発生する燃焼煙を積極的に台座灸周辺の施術面に這う様に漂わせて薬効治療することから、燃焼煙による薬効治療が視覚的に視認することができる優れた効果を奏する。
【００２４】
また、本発明に係る柚子葉肉温灸用の燃焼材ならびに生姜葉肉温灸用の燃焼材及び粉末葉肉台座灸によれば、生産者においては、規格外の葉や果肉の廃棄処分に多大な手間と費用を省くことができると同時に、原材料の有効利用を図ることができるという優れた効果を奏する。
【００２５】
また、本発明に係る柚子葉肉温灸用の燃焼材ならびに生姜葉肉温灸用の燃焼材及び粉末葉肉台座灸によれば、燃焼材の主たる原料に柚子ならびに生姜の葉肉の粉末材を使用しており、柚子ならびに生姜の形や大きさに特に影響を受けることはない。従って、柚子ならびに生姜をそのまま使用する温灸具と比して、見栄えの良くない葉肉も利用できるという点からも、原材料の有効利用を図ることができるという優れた効果を奏する。
【００２６】
また、本発明に係る柚子葉肉温灸用の燃焼材ならびに生姜葉肉温灸用の燃焼材及び粉末葉肉台座灸によれば、薬効成分の葉肉が乾燥粉末されて混合されるため、生葉の鮮度維持などの保管上や使用上の手間隙を必要としないという優れた効果を奏する。
【図面の簡単な説明】
【００２７】
【図１】本発明の粉末葉肉台座灸における燃焼材の実施形態を示す説明図
【図２】本発明の粉末葉肉台座灸における台座灸の実施形態を示す説明図
【図３】本発明の粉末葉肉台座灸における使用状態を示す断面説明図
【図４】本発明の粉末葉肉台座灸における別の実施形態を示す断面説明図
【図５】本発明に係る粉末葉肉台座灸の燃焼煙の排出状態を示す説明写真
【図６】本発明に係る粉末葉肉台座灸と市販品との燃焼煙の排出状態を比較した写真
【図７】本発明に係る柚子葉肉燃焼材の内部構造の違いによる燃焼煙の排出状態を比較した写真
【図８】本発明に係る柚子葉肉燃焼材の内部空洞部が貫通している場合の燃焼煙の排出状態を示す写真
【図９】本発明に係る粉末葉肉台座灸の燃焼煙の排出状態を説明する写真
【発明を実施するための形態】
【００２８】
請求項１に係る本発明の粉末葉肉台座灸１は、柚子の葉と果実の粉末を主成分とする灸具用の燃焼材であって、フリーズドライ加工された柚子の葉と果実を重量比９．９：０．１から８．０：２．０の割合で配合し、平均粒径２マイクロメートルから１０マイクロメートルの範囲内に粉砕して得られた柚子葉肉の粉末１００重量部に対し、ナトリウム（0.02％）、カリウム(0.15％)、リチウム（0.001％未満）、マグネシウム（0.53％）の燃焼補助剤を含有するタブ粉20〜25重量部及び支那粉10〜15重量部から成るつなぎ材と、染料重量部3〜6と、香料重量部2〜4とを、各々の重量比の割合で配合して棒状または突起状に形成し、該灸具用燃焼材の内部に、上方が閉鎖された排煙空洞部を設けた該柚子葉肉燃焼材１０、及び該柚子葉肉燃焼材１０の排煙特性を活用するのに適した構造の台座を用いたことを最大の特徴とするものである。以下、柚子の葉と果実における実施例を、図面に基づいて説明する。なお、図５から図９に用いられている燃焼材は柚子葉肉燃焼材１０であるが、燃焼煙Ｋの排出状態は、基本的に生姜葉肉燃焼材１１もほぼ同様の結果となっている。
【００２９】
柚子葉肉燃焼材１０は、平均粒径２マイクロメートルから１０マイクロメートルに範囲内に整えられた柚子葉肉粉燃焼材１０ａの重量部50に対し、タブ粉重量部20〜25及び支那粉重量部10〜15から成るナトリウム、カリウム、リチウム、マグネシウムを含有する燃焼補助剤を含むつなぎ材１０ｃと、染料重量部3〜6と、香料重量部2〜4との割合で配合される。
【００３０】
柚子葉肉粉１０aは、無果実栽培且つ無農薬栽培されて採取された柚子の葉及び果実を、流水で洗浄し、雑味や葉脈を取り除いた後に水切りされ、さらに60％程度に天日干しして剪断機で約２×１ｍｍ程度に粗挽きし、さらに乾燥器によってフリーズドライ加工した後、挽臼機などで粒径２〜１０マイクロメートル程の大きさに整えたものを用いる。ここで、粒径２〜１０マイクロメートル程の大きさに整えるのは、柚子葉肉粉１０aと所定の割合で燃焼補助剤１０ｂを含有するつなぎ材１０ｃとの配合関係により、着火性、非消火性、燃焼温度、燃焼の持続性、及び排煙量等を良好な状態にするためである。
【００３１】
燃焼補助剤１０ｂは、タブ粉20〜25重量部及び支那粉10〜15重量部から成るつなぎ材１０ｃに、ナトリウム（0.02％）、カリウム(0.15％)、リチウム（0.001％未満）、マグネシウム（0.53％）の割合となるように配合する。本発明は、視覚的に肉眼で見える煙によってその目的の一つである癒し効果を発揮させるものであるため、着火性、非消火性、燃焼温度、燃焼の持続性を図りつつ、排煙量等を良好な状態にする。なお、  柚子葉肉粉燃焼材１０にも、植物由来の各元素が含まれることになる。一般的なヨモギによる温灸材の燃焼温度は７０〜８０度程度と紙やタバコの燃焼温度に比べて低く、ヨモギと同程度の燃焼温度とするためには、つなぎ材１０ｃに対して燃焼補助材１０ｂを多くし過ぎると燃焼温度が高く、燃焼速度も速くなってしまう。逆に少ないと、着火性や非消火性が悪い。本発明者は、本発明における効果を発揮させるため、つなぎ材１０ｃに対する燃焼補助剤１０ｂの含有量を種々変化させて検討し、最も状態の良かった配合関係を調べ、係る含有率を得た。ただし、含有率はこれに限定されるものではなく、係る含有率を中心として、排煙量と前記燃焼状態を良好に保てる範囲内となる。
【００３２】
つなぎ材１０ｃは、  柚子葉肉粉１０aの重量部５０に対し、タブ粉重量部20〜25及び支那粉重量部10〜15で配合される。タブ粉は、クスノキ科タブノキ属の常緑高木の樹皮を粉末にしたもので、一般に市販されている線香用等のものを用いればよい。支那粉は、アオイ目のなかの独立のシナノキ科のシナの木の樹皮を粉末にしたもので、これも前記同様線香用等の市販品を用いればよい。
【００３３】
染料１０ｄは、見た目の色彩に合わせて含有させるもので、取り立て特定の色彩にこだわるものではないが、一般的に杉の葉などを原料とした緑色の自然染料を用いることが望ましい。柚子葉肉粉１０aの重量部５０に対し３〜６重量部配合する。
【００３４】
香料１０eは、成分的には、植物に含まれるテルペン類から構成される有機化合物を抽出した精油などが用いられ、柚子の葉の香りと相性の良いお茶葉香料等を用いる。但し、香料１０eは、お茶葉香料に限定されるものではなく、その他ジャスミンやラベンダーなどのアロマセラピー効果がある自然香料などを用いることも考え得る。柚子葉肉粉１０aの重量部５０に対し２〜４重量部配合する。
【００３５】
また、本発明の粉末葉肉台座灸１は、生姜の葉と根の粉末を主成分とする灸具用の燃焼材であって、フリーズドライ加工された生姜の葉と根を重量比９．９：０．１から８．０：２．０の割合で配合し、平均粒径２マイクロメートルから１０マイクロメートルの範囲内に粉砕して得られた生姜葉肉の粉末１００重量部に対し、ナトリウム（0.02％）、カリウム(0.15％)、リチウム（0.001％未満）、マグネシウム（0.53％）の燃焼補助剤を含有するタブ粉20〜25重量部及び支那粉10〜15重量部から成るつなぎ材と、染料重量部3〜6と、香料重量部2〜4とを、各々の重量比の割合で配合して棒状または突起状に形成し、該灸具用燃焼材の内部に、上方が閉鎖された排煙空洞部を設けた生姜葉肉燃焼材１１及び、該生姜葉肉燃焼材１１の排煙特性を活用するのに適した構造の台座を用いたことを特徴とするものである。
【００３６】
生姜葉肉燃焼材１１は、平均粒径２マイクロメートルから１０マイクロメートルに範囲内に整えられた生姜葉肉粉１１ａの重量部50に対し、タブ粉重量部20〜25及び支那粉重量部10〜15から成るナトリウム、カリウム、リチウム、マグネシウムを含有する燃焼補助剤を含むつなぎ材１０ｃと、染料重量部3〜6と、香料重量部2〜4との割合で配合される。
【００３７】
生姜葉肉粉１１aは、無果実栽培且つ無農薬栽培されて採取された生姜の葉と根を流水で洗浄し、雑味や葉脈を取り除いた後に水切りされ、さらに60％程度に天日干しして剪断機で約２×１ｍｍ程度に粗挽きし、さらに乾燥器によってフリーズドライ加工した後、挽臼機などで粒径２〜１０マイクロメートル程の大きさに整えたものを用いる。ここで、粒径２〜１０マイクロメートル程の大きさに整えるのは、  生姜葉肉粉１１aと所定の割合で燃焼補助剤１０ｂを含有するつなぎ材１０ｃとの配合関係により、着火性、非消火性、燃焼温度、燃焼の持続性、及び排煙量等を良好な状態にするためである。
【００３８】
燃焼補助剤１０ｂは、タブ粉20〜25重量部及び支那粉10〜15重量部から成るつなぎ材１０ｃに、ナトリウム（0.02％）、カリウム(0.15％)、リチウム（0.001％未満）、マグネシウム（0.53％）の割合となるように配合する。本発明は、視覚的に肉眼で見える煙によってその目的の一つである癒し効果を発揮させるものであるため、着火性、非消火性、燃焼温度、燃焼の持続性を図りつつ、排煙量等を良好な状態にする。なお、  生姜葉肉粉燃焼材１１にも、植物由来の各元素が含まれることになる。一般的なヨモギによる温灸材の燃焼温度は７０〜８０度程度と紙やタバコの燃焼温度に比べて低く、ヨモギと同程度の燃焼温度とするためには、つなぎ材１０ｃに対して燃焼補助材１０ｂを多くし過ぎると燃焼温度が高く、燃焼速度も速くなってしまう。逆に少ないと、着火性や非消火性が悪い。本発明者は、本発明における効果を発揮させるため、つなぎ材１０ｃに対する燃焼補助剤１０ｂの含有量を種々変化させて検討し、最も状態の良かった配合関係を調べ、係る含有率を得た。ただし、含有率はこれに限定されるものではなく、係る含有率を中心として、排煙量と前記燃焼状態を良好に保てる範囲内となる。
【００３９】
つなぎ材１０ｃは、  生姜葉肉粉１１aの重量部５０に対し、タブ粉重量部20〜25及び支那粉重量部10〜15で配合される。タブ粉は、クスノキ科タブノキ属の常緑高木の樹皮を粉末にしたもので、一般に市販されている線香用等のものを用いればよい。支那粉は、アオイ目のなかの独立のシナノキ科のシナの木の樹皮を粉末にしたもので、これも前記同様線香用等の市販品を用いればよい。
【００４０】
染料１０ｄは、見た目の色彩に合わせて含有させるもので、取り立て特定の色彩にこだわるものではないが、一般的に杉の葉などを原料とした緑色の自然染料を用いることが望ましい。生姜葉肉粉１１aの重量部５０に対し３〜６重量部配合する。
【００４１】
香料１０eは、成分的には、植物に含まれるテルペン類から構成される有機化合物を抽出した精油などが用いられ、生姜の葉の香りと相性の良いお茶葉香料等を用いる。但し、香料１０eは、お茶葉香料に限定されるものではなく、その他ジャスミンやラベンダーなどのアロマセラピー効果がある自然香料などを用いることも考え得る。生姜葉肉粉１１aの重量部５０に対し２〜４重量部配合する。
【実施例１】
【００４２】
図１は、本発明の粉末葉肉台座灸における燃焼材の実施形態を示す説明図であり、図１（a）から図１（e）は柚子葉肉燃焼材１０の先端形状を示す説明図である。本発明の柚子葉肉燃焼材１０は、先端形状が、半球状、平坦状、鋭端状または、山形状の何らかの形状を有して棒状または突起状の全体形状を形成し、該内部に上方が閉鎖される排煙空洞部２３を設けて形成される。
【００４３】
また、柚子葉肉燃焼材１０の頂点部１０ｆに点火された各形状の燃焼材は、凡そそのままの形状を保って燃焼して行き、輻射熱Ｈと燃焼煙Ｋは、排煙空洞部２１を通って下方に伝導する構造を有する。
【実施例２】
【００４４】
図２は、本発明の粉末葉肉台座灸における台座灸の実施形態を示す説明図である。図２（a）は分解斜視図を示し、図２（ｂ）は全体斜視図を示し、図２（ｃ）は断面図を示す。本発明の粉末葉肉台座灸１は、柚子葉肉燃焼材１０と、台座筐体２０と、接着シート２５からなる台座灸であって、台座筐体２０の中心部から鉛直方向に貫通する燃焼熱伝導孔２２を設け、該燃焼熱伝導孔２２に対して略水平方向に直交して放射状に連通する排煙孔２３を設け、台座筐体２０の上面部には、柚子葉肉燃焼材１０を保持する保持部２４を形成し、下面部には、施術面Ｓ（人体の肌）に密着させる接着シート２５を設けて成り、柚子葉肉燃焼材１０の燃焼によって発生する燃焼煙Ｋによる薬効治療と、輻射熱Ｈによる温熱治療を同時に行なう構造を有して形成される。
【００４５】
また、台座筐体２０は、円筒形の形状を有して耐熱性の金属または不燃性の樹脂等で形成されるもので、材質は特に限定されるものではないが、カイダック（登録商標）の様な耐熱性を有する熱伝導率の低い樹脂を用いれば、輻射熱Ｈの放熱を少なくできると共に、燃焼熱伝導孔２２の集熱効果も高くなる効果が得られる。
【００４６】
燃焼熱伝導孔２２は、台座筐体２０の中心部から鉛直方向に貫通する柚子葉肉燃焼材１０の燃焼熱を下方向に伝導する孔で、柚子葉肉燃焼材１０の頂点部１０ｆの外殻燃焼部１０ｇで燃焼される輻射熱Ｈを人体の施術面Ｓに伝導させるものである。
【００４７】
排煙孔２３は、燃焼熱伝導孔２２に対して略水平方向に直交して放射状に連通して柚子葉肉燃焼材１０を燃焼させることによって発生する燃焼煙Ｋを排煙する孔で、燃焼熱伝導孔２２に対して略水平方向に直交して放射状に設けられる。棒状または突起状に形成される柚子葉肉燃焼材１０の内部に上方が閉鎖される排煙空洞部２１内に発生する薬効成分を含有する燃焼煙Ｋの煙層降下現象によって台座筐体２０の下部から放射状に分布して施術面Ｓに沿って広く排煙されるもので、比重が重い（不燃性物質または水分を含むため）燃焼煙Ｋは、施術面Ｓの表面を這う様に漂うことによって台座筐体２０を中心とした施術面Ｓの薬効治療を行うことができるものである。
【００４８】
保持部２４は、台座筐体２０の上面部に柚子葉肉燃焼材１０を保持する受け部形状を有するもので、その受け部に柚子葉肉燃焼材１０の下部を接着剤で固着するものである。
【００４９】
接着シート２５は、台座筐体２０と皮膚の間に粘着剤等で剥離可能に接着され、台座筐体２０から伝わる輻射熱Ｈを和らげる働きをするものである。素材は、厚紙や不燃性のスポンジ等で形成し、中心部には燃焼熱伝導孔２２を設けている。接着シート２５の施術側には離型紙が被覆され、使用時は接着シート２５の縁の一部に突出する舌片を掴み、離型紙を剥がして使用するものである。
【実施例３】
【００５０】
図３は、本発明の粉末葉肉台座灸１における使用状態を示す断面説明図である。図３（a）は、柚子葉肉燃焼材１０の輻射熱Ｈの伝導状態を示す説明図である。柚子葉肉燃焼材１０の頂点部１０ｆに線香などで点火された外殻燃焼部１０ｇは、外気の酸素供給を受けて燃焼し、その形状を維持しながら燃焼し続けていく。
【００５１】
外殻燃焼部１０ｇから発生する燃焼煙は、外気の酸素供給を受けて高温で略完全燃焼するため、燃焼煙の質量が軽い上、頂点部１０ｆ上方には、外殻燃焼部１０ｇから発生する約600〜1000度に熱せられた放射熱によって上昇気流が発生する。従って、殆ど透明に近い無煙状態で燃焼された燃焼煙は、係る上昇気流により上方へ放出される。
【００５２】
一方、そこで発生した輻射熱Ｈは、柚子葉肉燃焼材１０の排煙空洞部２１内を通じて台座筐体２０の燃焼熱伝導孔２２に導かれ、接着シート２５によって輻射熱Ｈが和らげられ、施術面Ｓ（人体の肌）にピンポイントで温熱治療が行なわれる。
【００５３】
図３（ｂ）は、柚子葉肉燃焼材１０の燃焼煙Ｋの流動状態を示す説明図である。柚子葉肉燃焼材１０の排煙空洞部２１内の内殻燃焼部１０ｈは、外殻燃焼部１０ｇと比較して低温で燃焼するため、質量が大きく（不燃性物質または水分を含むため）、薬効成分を含有する燃焼煙Ｋを発生する。該燃焼煙Ｋは、柚子葉肉燃焼材１０の内部に上方が閉鎖される排煙空洞部２１内の煙層降下現象によって台座筐体２０の鉛直方向に設けられる燃焼熱伝導孔２２を通り、さらに該燃焼熱伝導孔２２に対して略水平方向に直交して放射状に連通する排煙孔２３に導かれ、図５に示されるような状態で排煙される。該排煙された薬効成分を含有した燃焼煙Ｋが、台座筐体２０を中心とした周辺の施術面Ｓ（人体の肌）の表面を這う様に漂うことによって燃焼煙Ｋによる薬効治療が行なわれると共に、視覚的な癒し効果を生ずる。
【００５４】
以上のように本発明の粉末葉肉台座灸１は、燃焼材の燃焼によって発生する燃焼煙Ｋを意図的に発生させ、該燃焼煙Ｋを積極的に台座灸周辺の施術面Ｓに這う様に漂わせて薬効治療するものであり、同時に、穏やかに漂う燃焼煙Ｋの煙の動きが視認できることから、特にストレスの多い方が求める癒し具として有用な効果を発揮する。
【実施例４】
【００５５】
図４は、本発明の粉末葉肉台座灸１における別の実施形態を示す断面説明図である。請求項４記載の粉末葉肉台座灸１における輻射熱Ｈの温度調節機構３０は、本出願人が特許権者でもある「輻射熱の温度調節を可能とした灸具」（特許文献-３参照）ならびに「電子式お灸」（特許文献-４参照）温度調節機構部分を、本発明に係る柚子葉肉燃焼材１０の燃焼煙Ｋを有効的に排煙させるために適した構造に改良したものである。
【００５６】
該温度調節機構３０は、シャッター３３の厚みが、内径の小さい燃焼熱伝導孔２２から内径の大きい燃焼熱伝導孔２２に向けて厚くなるように傾斜した傾斜面３１が、カム機構によりシャッター３３の摺動に連動して柚子葉肉燃焼材１０を保持するホルダー３２が応動して加熱部３４を上下に移動し、温度調節する構造であり、該燃焼熱伝導孔２２の途中に、水平方向に向けた排煙孔２３を設けて、燃焼煙Ｋを横方向へ漂うように排出する。
【００５７】
即ち、請求項４記載の粉末葉肉台座灸１では、柚子葉肉燃焼材１０が燃焼によって発生する燃焼煙Ｋによる薬効治療及び輻射熱Ｈによる温熱治療を同時に行なうと共に、輻射熱Ｈの温度調節を可能とする構成を採用している。
【実施例５】
【００５８】
図５は、本発明に係る粉末葉肉台座灸１の燃焼煙Ｋの排出状態を示す説明写真である。図５から図９の写真に用いられている粉末葉肉台座灸１の燃焼材は、柚子葉肉燃焼材１０であるが、図５（ａ）は、燃焼初期の状態を示しており、燃焼煙Ｋは着火後の少しの間上昇する。図５（ｂ）は、燃焼中期の状態を示しており、燃焼煙Ｋは排煙孔２３から排出され、上昇する燃焼煙Ｋは極めて少ない。図５（ｃ）は、燃焼後期の状態を示しており、燃焼煙Ｋは排煙孔２３から排出され、上昇する燃焼煙Ｋは極めて少ない。
【実施例６】
【００５９】
図６は、本発明に係る粉末葉肉台座灸１と市販品との燃焼煙Ｋの排出状態を比較した写真である。図６（ａ）は、本発明に係る柚子葉肉燃焼材１０を無垢状態で内部に排煙空洞部２１を形成していないもの、図６（ｂ）は、市販品の無煙線香灸、図６（ｃ）は、市販のもぐさによる一般的な灸である。いずれの灸も、燃焼初期から燃え尽きるまで、燃焼煙Ｋは上昇する。但し、（ｂ）の無煙線香灸では、肉眼では視認が困難な程度に燃焼煙は少ない。
【実施例７】
【００６０】
図７は、本発明に係る柚子葉肉燃焼材１０の内部構造の違いによる燃焼煙Ｋの排出状態を比較した写真である。図中、左側の柚子葉肉燃焼材１０は貫通穴が形成されており、上部が開口している構成のものである。左右に挟まれた真ん中の柚子葉肉燃焼材１０は無垢で内部に空洞部を有しない構成のものである。右側の柚子葉肉燃焼材１０は本発明に係る形状のものであり、上方が閉鎖された内部に排煙空洞部２１が設けられている構成である。最上段の図７（ａ）から最下段の図７（ｄ）に向けて燃焼時間の経過を示しており、最上段図７（ａ）が着火前の状態、最下段図７（ｄ）が使用後の状態である。
【００６１】
左の貫通穴が形成されている柚子葉肉燃焼材１０では、着火後すぐに上方に激しく燃焼煙Ｋを排出し、その後直ちに、少量であるが水平方向にも燃焼煙Ｋを排出する。前記３種類の中で水平方向への燃焼煙Ｋの排出が最も早い。しかし、燃焼速度が他の構成と比較して速過ぎてしまう。これは、貫通穴の形成により、燃焼に必要な酸素が多いためと考えられ、ナトリウム等の燃焼補助材やマグネシウム等の酸化剤を減らすことなどにより燃焼速度を調整することができるが、温度が低くなることと燃焼煙Ｋの量が減ってしまうため、極小の燃焼熱伝導穴の調整ができる請求項４に記載の粉末葉肉台座灸１で用いる場合では、高温ピンポイントでの温灸効果を効果的に発揮できない。また、柚子葉肉燃焼材１０の内部空洞部の燃焼煙Ｋが温度差による上昇気流に運ばれ易く、上方への排出量が多い。
【００６２】
左右に挟まれた真ん中の柚子葉肉燃焼材１０では、燃焼煙Ｋは全て上昇気流に乗り上方へ排気されてしまい、本発明の目的とする水平方向への漂うような煙を出すことができない。
【００６３】
これらに対し、右側の本発明に係る形状の柚子葉肉燃焼材１０では、着火後やや上方に燃焼煙Ｋを排出するものの、内部の排気空洞部２１に燃焼が伝わると終盤に至るまでの間に、大量の燃焼煙Ｋを排煙孔２３より排出し、温度差による上昇気流に乗って上昇する燃焼煙Ｋの排出量も極めて少ない。
【実施例８】
【００６４】
図８は、本発明に係る柚子葉肉燃焼材１０の内部空洞部が貫通している場合の燃焼煙Ｋの排出状態を示す写真であり、図８（ａ）から図８（ｇ）へかけて燃焼の経過を現している。内部の排気空洞部２３の上方が閉鎖されている本発明に係る粉末葉肉台座灸１と比較すると、水平方向に向かう燃焼煙Ｋの排気タイミングは早いものの、終始上方への排出量が多く、また、図８（ｄ）から（ｇ）に示されるように、下方というより横方向へと排出されている。まとわりつくように下方へ排出される燃焼煙Ｋは後期のみである。
【実施例９】
【００６５】
図９は、本発明に係る粉末葉肉台座灸１の燃焼煙Ｋの排出状態を説明する写真である。図９（ａ）から図９（ｆ）へかけて燃焼の経過を現している。前記柚子葉肉燃焼材１０の内部空洞部が貫通している場合と異なり、燃焼煙Ｋの上方への排出は、着火後の僅かな時間だけで極めて少ない。また、排煙孔２３から排出される燃焼煙２３は、図９（ｂ）から図９（ｅ）に示されるように、排出当初からまとわりつくように下方へ排出される。
【産業上の利用可能性】
【００６６】
本発明の粉末葉肉台座灸は、柚子葉肉温灸用燃焼材ならびに生姜葉肉温灸用燃焼材の燃焼によって発生する燃焼煙による薬効治療と、輻射熱による温熱治療と、輻射熱の温度調節を可能にすると共に、その治療状況を視覚的に視認できる従来にない台座灸であることから、本発明における粉末葉肉台座灸の産業上の利用可能性は極めて高いものと解する。
【符号の説明】
【００６７】
１    粉末葉肉台座灸
１０    柚子葉肉燃焼材
１０a  柚子葉肉粉
１０b  燃焼補助材
１０c  つなぎ材
１０d  染料
１０e  香料
１０ｆ  頂点部
１０ｇ  外殻燃焼部
１０ｈ  内殻燃焼部
１１    生姜葉肉燃焼材
１１a    生姜葉肉粉
２０  台座筐体
２１  排煙空洞部
２２  燃焼熱伝導孔
２３  排煙孔
２４  保持部
２５  接着シート
３０  温度調節機構
３１  傾斜面
３２  ホルダー
３３  シャッター
３４  加熱部  
Ｋ  燃焼煙
Ｈ  輻射熱
Ｓ  施術面
【要約】
【課題】柚子葉肉温灸用燃焼材ならびに生姜葉肉温灸用燃焼材が燃焼によって発生する燃焼煙による薬効治療と、輻射熱による温熱治療を同時に行なう粉末葉肉台座灸の提供を図る。
【解決手段】
柚子の葉と果実、又は生姜の葉と根の粉末を平均粒径２マイクロメートルから１０マイクロメートルの範囲内に粉砕して得られた粉末に対し、ナトリウム、カリウム、リチウム、マグネシウムの燃焼補助剤を含有するタブ粉及び支那粉から成るつなぎ材と、染料と、香料とを、各々の重量比の割合で配合して形成し、該灸具用燃焼材の内部に、上方が閉鎖された排煙空洞部を設けたことを特徴とする柚子葉肉温灸用燃焼材及び該柚子葉肉温灸用燃焼材。及びその燃焼特性を利用して燃焼煙を水平方向に排出する手段を採用した。
【選択図】図３【図１】
0004809951.tif 000002
【図２】
0004809951.tif 000003
【図３】
0004809951.tif 000004
【図４】
0004809951.tif 000005
【図５】
0004809951.tif 000006
【図６】
0004809951.tif 000007
【図７】
0004809951.tif 000008
【図８】
0004809951.tif 000009
【図９】
0004809951.tif 000010